(57)【要約】      （修正有）【課題】キャビネットと引き出し及び間に生じる組立て公差を補い、引き出しをスライドさせる際のスムーズ性を確保するスライドレールキットを提供する。【解決手段】固定レール１０、引き出しスライドレール１２、及び少なくとも一つの位置決め装置１４を備える。固定レール１０は第一縦方向延伸部材１６を有する。引き出しスライドレール１２は固定レール１０に相対して縦方向に移動し、尚且つ引き出しスライドレール１２には第二縦方向延伸部材２６が設けられている。第一縦方向延伸部材１６及び第二縦方向延伸部材２６の少なくとも一方には開孔４６が設けられている。少なくとも一つの位置決め装置１４には支持部材４８及び嵌着部材５０が設けられており、支持部材４８には固定部５２及び固定部５２に連接する弾力アーム５４が設けられている。【選択図】図１
0003190143.tif 000002
【実用新案登録請求の範囲】
【請求項１】
固定レール、引き出しスライドレール、及び少なくとも一つの位置決め装置を備えるスライドレールキットであって、
前記固定レールは、第一縦方向延伸部材が設けられており、
前記引き出しスライドレールは、固定レールに相対して縦方向に移動し、且つ第二縦方向延伸部材が設けられており、
前記第一縦方向延伸部材及び前記第二縦方向延伸部材の少なくとも一方には開孔が設けられており、
前記位置決め装置は、支持部材及び嵌着部材が設けられており、前記支持部材に固定部及び前記固定部に連接されている弾力アームが設けられており、前記固定部が前記第一縦方向延伸部材及び前記第二縦方向延伸部材のうち少なくとも一方に連接され固定されており、前記嵌着部材が前記支持部材の前記弾力アームに連接されており前記開孔に対応していることを特徴とするスライドレールキット。
【請求項２】
前記支持部材の前記弾力アームを横方向に貫通し、前記嵌着部材に接続されており、前記嵌着部材を固定する固定部材をさらに備えることを特徴とする請求項１に記載のスライドレールキット。
【請求項３】
前記弾力アームは、少なくとも一部が、前記開孔内に配置されており、前記開孔の内壁が前記弾力アームの少なくとも一部に接触し、前記弾力アームを支持することを特徴とする請求項１に記載のスライドレールキット。
【請求項４】
前記弾力アームは、少なくとも一部が前記開孔内に位置し、屈曲部を有し、力を受けて前記開孔で移動する時、前記屈曲部が前記開孔の内壁を押圧することを特徴とする請求項１に記載のスライドレールキット。
【請求項５】
ボール巣座をさらに備え、
前記ボール巣座は、前記固定レールと前記引き出しスライドレールとの間に位置する複数のボールを有し、
前記引き出しスライドレールは、前記固定レールに相対し、前記ボール巣座の働きにより容易にスライド移動することが可能であることを特徴とする請求項１に記載のスライドレールキット。
【請求項６】
中レール、第一ボール巣座、および、第二ボール巣座をさらに備え、
前記中レールは、前記固定レールと前記引き出しスライドレールとの間にスライド可能に連結されており、
前記第一ボール巣座は、前記固定レールと前記引き出しスライドレールとの間に配置されている複数のボールを有し、
前記第二ボール巣座は、前記引き出しスライドレールと前記中レール間に配置されている複数のボールを有し、
前記中レールは前記固定レールに対して前記第一ボール巣座の働きにより容易にスライド移動し、前記引き出しスライドレールは前記中レールに対して前記第二ボール巣座の働きにより容易にスライド移動することが可能であることを特徴とする請求項１に記載のスライドレールキット。
【請求項７】
前記固定レールは、末端を有し、スロット及び少なくとも一つのねじ部を有する連接座がさらに設けられており、
前記連接座の前記スロットは、前記固定レールの末端を挿入するのに用いられることを特徴とする請求項１に記載のスライドレールキット。
【考案の詳細な説明】
【技術分野】
【０００１】
本考案は、迅速にキャビネットと引き出しの間に取り付け可能なスライドレールキットに関する。
【背景技術】
【０００２】
特許文献１に記載の発明では、ローラー（ｒｏｌｌｅｒｓ２４、４０）を用いて媒介物をスライドさせることができるスライドレールキットであり、キャビネット構成部材（ｃａｂｉｎｅｔ  ｍｅｍｂｅｒ  １４）及び引き出し構成部材（ｄｒａｗｅｒ  ｍｅｍｂｅｒ  ３８がスライド可能にキャビネット構成部材（ｃａｂｉｎｅｔ  ｍｅｍｂｅｒ  １４）に連接される。組み立てる時、一対のブッシュ（ｂｕｓｈｉｎｇｓ１６、１８）及び一対のねじ（ｓｃｒｅｗｓ２０Ａ、２０Ｂ）を用いてキャビネット構成部材（ｃａｂｉｎｅｔ  ｍｅｍｂｅｒ  １４）をキャビネット壁板（ｃａｂｉｎｅｔ  ｐａｎｅｌ  １２）上に螺着して定位させ、並びに、係合する引き出し構成部材（ｄｒａｗｅｒ  ｍｅｍｂｅｒ  ３８）を引き出し（ｄｒａｗｅｒ  ３６）の一方側に固定する。これにより、引き出し（ｄｒａｗｅｒ  ３６）は、引き出し構成部材（ｄｒａｗｅｒ  ｍｅｍｂｅｒ  ３８）とキャビネット構成部材（ｃａｂｉｎｅｔ  ｍｅｍｂｅｒ  １４）をスライド可能に連結することで、引き出し（ｄｒａｗｅｒ  ３６）はキャビネット壁板（ｃａｂｉｎｅｔ  ｐａｎｅｌ  １２）に対して簡単にスライドシフトできる。
【０００３】
特許文献１に開示されたローラー（ｒｏｌｌｅｒｓ  ２４、  ４０）形式のスライドレールキットは、引き出し（ｄｒａｗｅｒ  ３６）及びキャビネット壁板（ｃａｂｉｎｅｔ  ｐａｎｅｌ  １２）の比較的大きな組立て公差を許容するものである。家具製造業者にとっては、引き出し（ｄｒａｗｅｒ  ３６）及びキャビネット壁板（ｃａｂｉｎｅｔ  ｐａｎｅｌ  １２）の組立てにおいて、工業規格のような精密度が不要であるため、ローラー（ｒｏｌｌｅｒｓ  ２４、  ４０）形式のスライドレールキットは、家具産業界で幅広く応用されている。しかしながら、ローラー（ｒｏｌｌｅｒｓ）形式のスライドレールキットは荷重する重量が制限され、しかも公差を許容する事により、付加価値を高めるためにソフトクローズ（ｓｏｆｔ−ｃｌｏｓｉｎｇ）或いはプッシュオープン（ｐｕｓｈ−ｏｐｅｎ）等機能を結合した構成にすることは困難である。
【０００４】
特許文献２に記載の発明では、スチールボール（ｂａｌｌ  ｂｅａｒｉｎｇｓ）をスライド媒介物としたスライドレールキットが開示された。この種のスチールボールを用いたスライドレールは高い精密度を備え、積載荷重が比較的重いという優位性があるため、徐々に消費者に受け入れられるようになった。更に、この種のスチールボールを用いたスライドレールはソフトクローズ（ｓｏｆｔ−ｃｌｏｓｉｎｇ）機能を選択的に付加することができ、これは、特許文献３の通りである。しかしながら、スチールボールを用いたスライドレールは精密度が高いという特性を有しているが、家具製造業者が生産する引き出し及びキャビネット間の組立て公差が、スチールボールを用いたスライドレールの許容公差を超えた時、スチールボールを用いたスライドレールは引き出しとキャビネット間の圧迫を受けることにより、却って引き出しにはスライドシフトのスムーズ性が損なう。
【０００５】
特許文献４に開示されたスチールボールを用いたスライドレールは、少なくとも一つの固定部材（ｆｉｘｅｄ  ｍｅｍｂｅｒ  ５６）を横向きに固定するよう引き出しのスライドレールに取り付け、少なくとも一つの浮動部材（ｆｌｏａｔｉｎｇ  ｍｅｍｂｅｒ  ５４）を固定部材（ｆｉｘｅｄ  ｍｅｍｂｅｒ  ５６）の横方向にスライドさせる。この様な構成によって、この種のスチールボールを用いたスライドレールは引き出し及びキャビネット間の比較的大きな組立て公差を許容することができる。
【０００６】
しかしながら、特許文献４に開示された構成は、一旦、浮動部材（ｆｌｏａｔｉｎｇ  ｍｅｍｂｅｒ  ５４）の品質自体に例えば公差の過大や破損等の問題があった場合、浮動部材（ｆｌｏａｔｉｎｇ  ｍｅｍｂｅｒ  ５４）は固定部材（ｆｉｘｅｄ  ｍｅｍｂｅｒ  ５６）から脱落する心配が残り、しかも、一旦、浮動部材（ｆｌｏａｔｉｎｇ  ｍｅｍｂｅｒ  ５４）が固定部材（ｆｉｘｅｄ  ｍｅｍｂｅｒ  ５６）から脱落すると、スチールボールを用いたスライドレール全体の取付位置が元々許容していた引き出し及びキャビネット間の比較的大きな組立て公差を許容しなくなる可能性もある。
【先行技術文献】
【特許文献】
【０００７】
【特許文献１】米国特許第Ｕ．Ｓ．５、４５７、８６７号明細書
【特許文献２】米国特許第Ｕ．Ｓ．５、８９５、１０１号明細書
【特許文献３】米国特許第Ｕ．Ｓ．６、７１２、４３５Ｂ２号明細書
【特許文献４】米国特許公開第Ｕ．Ｓ．２０１３／０１０６２７１Ａ１号明細書
【考案の概要】
【考案が解決しようとする課題】
【０００８】
本考案は、前述の問題に鑑みてなされたものであり、キャビネットと引き出し及び間に生じる組立て公差を補い、引き出しをスライドさせる際のスムーズ性を確保できるスライドレールキットを提供する。
【課題を解決するための手段】
【０００９】
本考案によるスライドレールキットは、固定レール、引き出しスライドレール、及び少なくとも一つの位置決め装置を備えるスライドレールキットであり。固定レールは、第一縦方向延伸部材が設けられている。引き出しスライドレールは、固定レールに相対して縦方向に移動し、且つ第二縦方向延伸部材が設けられている。第一縦方向延伸部材及び第二縦方向延伸部材の少なくとも一方には開孔が設けられている。位置決め装置は、支持部材及び嵌着部材が設けられている。支持部材に固定部及び固定部に連接されている弾力アームが設けられている。固定部が第一縦方向延伸部材及び第二縦方向延伸部材のうち少なくとも一方に連接され固定されている。嵌着部材が支持部材の弾力アームに連接されており開孔に対応している。
【００１０】
本考案では、支持部材の弾力アームを横方向に貫通し、嵌着部材に接続されており、嵌着部材を固定する固定部材をさらに備える。
【００１１】
本考案では、弾力アームは、少なくとも一部が、開孔内に配置されており、開孔の内壁が弾力アームの少なくとも一部に接触し、弾力アームを支持する。
【００１２】
本考案では、弾力アームは、少なくとも一部が開孔内に位置し、屈曲部を有し、力を受けて開孔で移動する時、屈曲部が開孔の内壁を押圧する。
【００１３】
本考案では、ボール巣座をさらに備える。ボール巣座は、固定レールと引き出しスライドレールとの間に位置する複数のボールを有する。引き出しスライドレールは、固定レールに相対し、ボール巣座の働きにより容易にスライド移動することが可能である。
【００１４】
本考案では、中レール、第一ボール巣座、および、第二ボール巣座をさらに備える。中レールは、固定レールと引き出しスライドレールとの間にスライド可能に連結されている。第一ボール巣座は、固定レールと引き出しスライドレールとの間に配置されている複数のボールを有する。第二ボール巣座は、引き出しスライドレールと中レール間に配置されている複数のボールを有する。中レールは、固定レールに対して第一ボール巣座の働きにより容易にスライド移動する。引き出しスライドレールは、中レールに対して第二ボール巣座の働きにより容易にスライド移動することが可能である。
【００１５】
本考案では、固定レールは、末端を有し、スロット及び少なくとも一つのねじ部を有する連接座がさらに設けられている。連接座のスロットは、固定レールの末端を挿入するのに用いられる。
【００１６】
本考案のスライドレールキットは、キャビネットと引き出し及び間に生じる組立て公差を補い、引き出しをスライドさせる際のスムーズ性を確保する効果を有する。
【図面の簡単な説明】
【００１７】
【図１】本考案の第一実施形態によるスライドレールキットの分解図である。
【図２】本考案の第一実施形態によるスライドレールキットの斜視図である。
【図３】図２のＡ−Ａ断面図である。
【図４】本考案の第一実施形態によるスライドレールキットの平面面図である。
【図５】本考案の第一実施形態によるスライドレールキットの側面断面図である。
【図６】本考案の第一実施形態によるスライドレールキットを引き出しとキャビネットの間に組み立てた状態を示す断面図である。
【図７】本考案の第二実施形態によるスライドレールキットの斜視図である。
【図８ａ】本考案の第三実施形態によるスライドレールキットの斜視図である。
【図８ｂ】本考案の第三実施形態によるスライドレールキットの平面図である。
【図９】本考案の第四実施形態によるスライドレールキットの側面図である。
【図１０】本考案の第五実施形態によるスライドレールキットの分解図である。
【考案を実施するための形態】
【００１８】
（第一実施形態）
図１及び図２に示した本考案の一実施形態によるスライドレールキットは、固定レール１０、引き出しスライドレール１２、及び少なくとも一つの位置決め装置１４を備える。
【００１９】
固定レール１０は、第一縦方向延伸部材１６を有する。第一縦方向延伸部材１６は、第一壁１８と、第一壁１８に向き合う第二壁２０と、第一壁１８及び第二壁２０の間に連接されている底壁２２とを有する。底壁２２は、第一壁１８、第二壁２０と共に通路２４を形成する。
【００２０】
引き出しスライドレール１２は、固定レール１０の通路２４にスライド可能な状態で連結されている。引き出しスライドレール１２には第二縦方向延伸部材２６を有する。第二縦方向延伸部材２６には二つの側壁２８、側壁３０、及び一対の側壁２８、３０の間に連接されている中壁３２とを有する。これにより、引き出しスライドレール１２は固定レール１０に向き合い縦方向に移動する。好ましくは、固定レール１０には末端３４を有する。スライドレールキットには、スロット３８及び少なくとも一つのねじ部４０を有する連接座３６をさらに備える。連接座３６のスロット３８は、固定レール１０の末端３４を挿入するのに用いられる。これにより、スライドレールキットは、連接座３６のねじ部４０を用いてキャビネット（図示せず）に固定されることができる。
【００２１】
図３に示すとおり、最も好ましくは、複数のボール４４を有するボール巣座４２をさらに備える。ボール巣座４２は固定レール１０と引き出しスライドレール１２の間に位置し、引き出しスライドレール１２は、固定レール１０に相対し、ボール巣座４２の働きによって容易にスライド移動することができる。即ち、二段階式のスチールボールを用いたスライドレールキットである。
【００２２】
第一実施形態において、固定レール１０の第一縦方向延伸部材１６の底壁２２及び引き出しスライドレール１２の第二縦方向延伸部材２６の中壁３２の何れにも少なくとも一つの開孔４６が設けられ、並びに、第一縦方向延伸部材１６の底壁２２及び第二縦方向延伸部材２６の中壁３２には何れも少なくとも一つの位置決め装置１４が取り付けられている。少なくとも一つの位置決め装置１４は支持部材４８及び嵌着部材（ｄｏｗｅｌ）５０を含む。
【００２３】
図４及び図５に示すとおり、各支持部材４８には、何れも固定部５２及び固定部５２に連接されている弾力アーム５４が設けられ、各固定部５２はそれぞれ第一縦方向延伸部材１６及び第二縦方向延伸部材２６に連接されて固定される。具体的に言えば、固定部５２を連接かつ固定する手段は、リベット接合、プレス手段を用いて一体成形するか、或いはその他の類似手段によるものとする。
【００２４】
弾力アーム５４の少なくとも一部分が開孔４６内に位置し、開孔４６の内壁が弾力アーム５４の少なくとも一部分に接触してそれを支える。具体的に言えば、弾力アーム５４の端部に備えた屈曲部５６によって、弾力アーム５４が力を受け開孔４６内で弾力的に移動する時、屈曲部５６は開孔４６の内壁を押圧することができる。嵌着部材（ｄｏｗｅｌ）５０は、支持部材４８の弾力アーム５４に連接され、尚且つ開孔４６に対応する。最も好ましくは、位置決め装置１４には、支持部材４８の弾力アーム５４から横方向に貫通し嵌着部材（ｄｏｗｅｌ）５０に連接されそれを固定する固定部材５８がさらに設けられる。具体的には、固定部材５８と嵌着部材（ｄｏｗｅｌ）５０を連結しそれを固定する手段は、リベット接合、螺着、或いはその他の類似手段によるものとする。
【００２５】
ここで注意すべき点であるが、図面に示した第一縦方向延伸部材１６及び第二縦方向延伸部材２６にはいずれにも少なくとも一つの位置決め装置１４が取り付けられているが、これに制限されないものとする。また、位置決め装置１４は、第一縦方向延伸部材１６或いは第二縦方向延伸部材２６に取り付けるものとし、その主な目的は、嵌着部材（ｄｏｗｅｌ）５０をスライドレールキットに対して横向きに移動させることにある。
【００２６】
図６に示した本考案の第一実施形態によるスライドレールキットは、固定レール１０の位置決め装置１４の嵌着部材（ｄｏｗｅｌ）５０及び引き出しスライドレール１２の位置決め装置１４の嵌着部材（ｄｏｗｅｌ）５０をそれぞれ引き出し６０とキャビネット６２との間に取り付けた状態を示す図である。引き出し６０とキャビネット６２の間に組立て公差が生じる時、位置決め装置１４の嵌着部材（ｄｏｗｅｌ）５０は、支持部材４８の弾力アーム５４に連結しているため、嵌着部材（ｄｏｗｅｌ）５０は、弾力アーム５４の働きを受けて横向きに移動し、組立て公差を補うシフト量ｄを提供する。また、嵌着部材（ｄｏｗｅｌ）５０は、実際には固定部材５８と固着して一体となり、好ましい構造強度を有するため、嵌着部材（ｄｏｗｅｌ）５０の品質不良及び積載不可能による変形や破損で支持部材４８から脱落することを防ぐことができる。これにより、スライドレールキットは、取り付け位置で組立て公差を許容し、ボール巣座４２のボール４４は、移動する際のスムーズ性を維持することができる。
【００２７】
（第二実施形態）
図７に示した本考案の第二実施形態において、支持部材４８ａの固定部５２ａと引き出しスライドレール１２ａの第二縦方向延伸部材２６ａは、個別の分離する構成部材であり、リベット接合の連接手段を用いて支持部材４８ａを引き出しスライドレール１２の第二縦方向延伸部材２６ａにしっかりと連結する。
【００２８】
（第三実施形態）
図８ａ及び図８ｂに示した本考案の第三実施形態において、引き出しスライドレール１２ｂの弾力アーム５４ａは、開孔４６ａ内に配置され、開孔４６ａの内壁の輪郭が弾力アーム５４ａに対応しているため、弾力アーム５４ａが開孔４６ａで弾力的に移動する時、開孔４６ａの内壁の働きによって弾力アーム５４ａはさらに大きな面積での接触し、それを支える。
【００２９】
（第四実施形態）
図９に示した本考案の第四実施形態のスライドレールキットは、固定レール１００と引き出しスライドレール１２０の間にスライド可能に連結する中レール６４をさらに含む。第一ボール巣座６６は、固定レール１００と中レール６４間に配置する複数のボール６８を備え、これにより、中レール６４は、固定レール１００に相対し、第一ボール巣座６６の働きにより容易にスライド移動することができる。また、第二ボール巣座７０には引き出しスライドレール１２０と中レール６４間に配置する複数のボール７２を有する。これにより、引き出しスライドレール１２０は、中レール６４に相対し、第二ボール巣座７０の働きにより容易にスライド移動することができる。これは三段式スライドレールキットである。
【００３０】
（第五実施形態）
図１０に示した本考案の第五実施形態において、引き出しスライドレール１２ｃの弾力アーム５４ｂには、取付孔７４が設けられている。嵌着部材（ｄｏｗｅｌ）５０ａは、筒体であり、並びに筒体上には複数の軸方向溝部７６及び嵌合部７８が設けられている。よって、嵌着部材（ｄｏｗｅｌ）５０ａは、可撓性を有し、弾力アーム５４ｂの取付孔７４に貫通し、並びに嵌合部７８の助けを受けて弾力アーム５４ｂに固定される。
【００３１】
本考案は既に前述の実施形態を用いて開示したとおりであるが、それは本考案に制約を加えるものではない。よって、本考案の保護範囲は実用新案登録請求の範囲を基準とすることをここに明記する。
【符号の説明】
【００３２】
１０、１０ａ、１００  固定レール
１２、１２０、１２ａ、１２ｂ、１２ｃ  引き出しスライドレール
１４  位置決め装置
１６  第一縦方向延伸部材
１８  第一壁
２０  第二壁
２２  底壁
２４  通路
２６、２６ａ  第二縦方向延伸部材
２８、３０  側壁
３２  中壁
３４  末端
３６  連接座
３８  スロット
４０  ねじ部
４２  ボール巣座
４４、６８、７２  ボール
４６、４６ａ  開孔
４８、４８ａ  支持部材
５０、５０ａ  嵌着部材（ｄｏｗｅｌ）
５２、５２ａ  固定部
５４、５４ａ、５４ｂ  弾力アーム
５６  屈曲部
５８  固定部材
６０  引き出し
６２  キャビネット
６４  中レール
６６  第一ボール巣座
７０  第二ボール巣座
７４  取付孔
７６  軸方向溝部
７８  嵌合部
ｄ  シフト量
【図１】
0003190143.tif 000003
【図２】
0003190143.tif 000004
【図３】
0003190143.tif 000005
【図４】
0003190143.tif 000006
【図５】
0003190143.tif 000007
【図６】
0003190143.tif 000008
【図７】
0003190143.tif 000009
【図８ａ】
0003190143.tif 000010
【図８ｂ】
0003190143.tif 000011
【図９】
0003190143.tif 000012
【図１０】
0003190143.tif 000013